(57)【特許請求の範囲】
【請求項１】
照射された放射線を画像データとして読み出す可搬型の放射線画像撮影装置と、複数のコンソールとを備える放射線画像撮影システムにおいて、
前記複数のコンソールは、当該コンソールに対応付けられた装着手段のリストをそれぞれ有しており、
一の前記コンソールは、
前記放射線画像撮影装置が、当該コンソールに対応付けられた前記装着手段に装着されると、前記放射線画像撮影装置又は前記装着手段から前記放射線画像撮影装置の情報とともに送信されてきた前記装着手段の情報が前記リストに属しているか否かを判断することによって当該放射線画像撮影装置を登録可能か否かを判断し、
前記装着手段の情報が前記リストに属している場合には、登録可能であると判断して、当該放射線画像撮影装置を登録し、
前記装着手段の情報が前記リストに属していない場合には、登録可能であるとは判断しないよう構成され、
当該放射線画像撮影装置が他の前記コンソールに登録されていた場合には、当該他のコンソールは、前記一のコンソールが当該放射線画像撮影装置を登録した場合にのみ、当該放射線画像撮影装置の登録を解除することを特徴とする放射線画像撮影システム。
【請求項２】
前記放射線画像撮影装置は、前記一のコンソールに対応付けられた前記装着手段に装着されてから、当該一のコンソールが当該放射線画像撮影装置を登録するまでの間、当該放射線画像撮影装置を用いる撮影を禁止することを特徴とする請求項１に記載の放射線画像撮影システム。
【請求項３】
前記放射線画像撮影装置が登録されていた前記他のコンソールは、前記一のコンソールに対応付けられた前記装着手段に装着されてから、当該一のコンソールが当該放射線画像撮影装置を登録するまでの間、撮影に用いる放射線画像撮影装置として当該放射線画像撮影装置を選択できないように制御することを特徴とする請求項１又は請求項２に記載の放射線画像撮影システム。
【請求項４】
前記放射線画像撮影装置が登録されていた前記他のコンソールは、前記一のコンソールに対応付けられた前記装着手段に装着されてから、当該一のコンソールが当該放射線画像撮影装置を登録するまでの間、当該放射線画像撮影装置を撮影に用いることができないことを報知することを特徴とする請求項１から請求項３のいずれか一項に記載の放射線画像撮影システム。
【発明の詳細な説明】
【技術分野】
【０００１】
本発明は、放射線画像撮影システムに係り、特に、放射線画像撮影装置を用いて複数の撮影室で撮影を行うことが可能な放射線画像撮影システムに関する。
【背景技術】
【０００２】
照射された放射線の線量に応じて電荷を複数の放射線検出素子でそれぞれ発生させ、発生した電荷を画像データとしてそれぞれ読み出す放射線画像撮影装置（Flat Panel Detector）が種々開発されており、近年、カセッテ型とされて搬送可能とされた可搬型の放射線画像撮影装置も開発されている。
【０００３】
そして、複数の撮影室を備える病院等の施設では、可搬型の放射線画像撮影装置（以下、単に放射線画像撮影装置という。）をある撮影室から別の撮影室に持ち運んで撮影を行う場合がある。そのような場合、放射線画像撮影装置がどの撮影室にあるかを適切に管理しないと、放射線技師等が各撮影室を回って目的の放射線画像撮影装置を探さなければならなかったり、或いは使用する予定だった放射線画像撮影装置とは異なる放射線画像撮影装置を用いて撮影してしまい放射線画像を適切に撮影することができない等の問題が生じる。
【０００４】
そこで、例えば特許文献１に記載された放射線画像撮影システムでは、各撮影室にクレードル等を配置しておき、放射線技師等は放射線画像撮影装置を撮影室に持ち込んでクレードル等に装着されると、放射線画像撮影装置が登録される。そして、このようにして登録処理が行われると、放射線画像撮影装置の識別情報等が管理装置に通知され、管理装置は、放射線画像撮影装置の識別情報と撮影室の識別情報とを対応付けて、放射線画像撮影装置がどの撮影室にあるかを管理する。そして、管理装置は、それとともに、当該放射線画像撮影装置が他の撮影室と対応付けられていた場合は、その対応付けを破棄し、元の撮影室（移動前の撮影室）に対する当該放射線画像撮影装置の登録を解除するシステムの発明が開示されている。
【０００５】
また、特許文献２では、放射線画像撮影装置を着脱自在に保持する保持部を有する撮影台と、放射線画像撮影装置と撮影台の保持部との組み合わせによって構成される撮影システムを特定するシステム情報に基づいて動作する制御装置とを備える放射線画像撮影システムの発明が開示されている。そして、制御装置は、予め指定された組み合わせと実際の組み合わせとが一致しない場合には撮影に関する動作を禁止するように構成されている。
【先行技術文献】
【特許文献】
【０００６】
【特許文献１】国際公開第２０１１／０４８８６８号
【特許文献２】特開２００２−３３６２２５号公報
【発明の概要】
【発明が解決しようとする課題】
【０００７】
ところで、前述した特許文献１に記載された放射線画像撮影システムは、放射線画像撮影装置の所在を管理装置で一括管理するものであるが、例えば、これを、各撮影室に配置されたコンソールでそれぞれ管理するように構成した場合には、以下のような問題が生じ得る。また、特許文献２に記載された放射線画像撮影システムでも同様の問題が生じ得る。
【０００８】
すなわち、例えば、放射線画像撮影装置を元の撮影室から別の撮影室に持ち込んで、クレードル等に装着して登録した場合に、通信環境が悪かったり、コンソールに異常が生じていたり、或いはライセンス違反等で登録に失敗する場合があり得る。また、特許文献２に記載のシステムでは、持ち込んだ放射線画像撮影装置を撮影台の保持部に装填した際に、放射線画像撮影装置と保持部の組み合わせが指定された組み合わせと一致せず、撮影が禁止される場合がある。
【０００９】
そのような状況で、例えば、元の撮影室のコンソールに、当該放射線画像撮影装置が別の撮影室で登録されたという情報が通知されて、元の撮影室のコンソールが、当該放射線画像撮影装置との対応付けを破棄して登録を解除してしまうと、当該放射線画像撮影装置は、元の撮影室でも別の撮影室でも登録されていないため、元の撮影室にも別の撮影室にも存在しないことになってしまう可能性がある。
【００１０】
本発明は、上記の問題点を鑑みてなされたものであり、放射線画像撮影装置を持ち運んで使用する際に、放射線画像撮影装置の各コンソールへの登録および登録解除を的確に行うことが可能な放射線画像撮影システムを提供することを目的とする。
【課題を解決するための手段】
【００１１】
前記の問題を解決するために、本発明の放射線画像撮影システムは、
照射された放射線を画像データとして読み出す可搬型の放射線画像撮影装置と、複数のコンソールとを備える放射線画像撮影システムにおいて、
前記複数のコンソールは、当該コンソールに対応付けられた装着手段のリストをそれぞれ有しており、
一の前記コンソールは、
前記放射線画像撮影装置が、当該コンソールに対応付けられた前記装着手段に装着されると、前記放射線画像撮影装置又は前記装着手段から前記放射線画像撮影装置の情報とともに送信されてきた前記装着手段の情報が前記リストに属しているか否かを判断することによって当該放射線画像撮影装置を登録可能か否かを判断し、
前記装着手段の情報が前記リストに属している場合には、登録可能であると判断して、当該放射線画像撮影装置を登録し、
前記装着手段の情報が前記リストに属していない場合には、登録可能であるとは判断しないよう構成され、
当該放射線画像撮影装置が他の前記コンソールに登録されていた場合には、当該他のコンソールは、前記一のコンソールが当該放射線画像撮影装置を登録した場合にのみ、当該放射線画像撮影装置の登録を解除することを特徴とする。
【発明の効果】
【００１２】
本発明のような方式の放射線画像撮影システムによれば、放射線画像撮影装置を持ち運んで使用する際に、放射線画像撮影装置の各コンソールへの登録および登録解除を的確に行うことが可能となる。
【図面の簡単な説明】
【００１３】
【図１】本実施形態に係る放射線画像撮影システムの構成例を表す図である。
【図２】放射線画像撮影装置の外観を示す斜視図である。
【図３】撮影台の構成を表す図である。
【図４】クレードルに放射線画像撮影装置が装着された状態を表す図である。
【図５】（Ａ）撮影室に対応付けられた装着手段の識別情報のリストの例を表す図であり、（Ｂ）施設で使用可能な放射線画像撮影装置の識別情報のリストの例を表す図である。
【図６】放射線画像撮影装置が撮影室Ｒａ２でクレードルに装着された際の信号等の流れや各コンソールで行われる処理の流れを表す図である。
【図７】放射線画像撮影装置は登録処理中に撮影要求が送信されてきても拒否して撮影を禁止することを表す図である。
【図８】本実施形態に係る放射線画像撮影システムの別の構成例を表す図である。
【図９】本実施形態に係る放射線画像撮影システムの別の構成例を表す図である。
【発明を実施するための形態】
【００１４】
以下、本発明に係る放射線画像撮影システムの実施の形態について、図面を参照して説明する。
【００１５】
本実施形態に係る放射線画像撮影システム５０は、例えば図１に示すように、可搬型の放射線画像撮影装置１（以下、単に放射線画像撮影装置１という。）と、複数の撮影室Ｒａ（Ｒａ１〜Ｒａ３）とを備えている。そして、各撮影室Ｒａ内には、撮影台５１や放射線照射装置５２、クレードル５３が配置されており、中継器５４を介してそれらとコンソール５５とが接続されている。なお、言うまでもないが、本発明は、撮影室Ｒａが３室である場合に限定されない。
【００１６】
放射線画像撮影装置１は、二次元状（マトリクス状）に配列された図示しない複数の放射線素子が図２に示すような筐体２内に収納されて可搬型に形成されている。そして、被写体を介して放射線照射装置５２から放射線が照射されると、照射された放射線の線量に応じた電荷が放射線検出素子内で発生し、その電荷を画像データとして読み出すようになっている。
【００１７】
そして、放射線画像撮影装置１は、撮影台５１のカセッテホルダー（カセッテ保持部等ともいう。）５１ａに装填して撮影に用いることも可能であり、また、撮影台５１に装填せず、いわば単独の状態で被写体である患者の身体にあてがう等して撮影に用いることもできるようになっている。
【００１８】
なお、図１では撮影台５１として立位撮影用の撮影台が示されているが、臥位撮影用の撮影台を備えるように構成することも可能である。また、図３に示すように、撮影台５１は、コネクターＣが先端に設けられたケーブルＣａを備えており、カセッテホルダー５１ａに放射線画像撮影装置１（図３では不図示）が装填されると、撮影台５１のコネクターＣと放射線画像撮影装置１のコネクター３（図２参照）とが装着されるようになっている。
【００１９】
そして、放射線画像撮影装置１は、コネクター３と撮影台５１のコネクターＣとが装着されるとケーブルＣａの識別情報（以下、ケーブルＩＤという。）を読み取り、自らの識別情報（以下、カセッテＩＤという。）およびケーブルＩＤを含む装着通知を、ケーブルＣａや中継器５４を介してコンソール５５に送信するとともに、当該コンソール５５と後述する通信ネットワークＮとを介して他の撮影室Ｒａのコンソール５５に送信するようになっている。
【００２０】
すなわち、本実施形態では、撮影台５１のケーブルＣａが、放射線画像撮影装置１が装着される装着手段の１つとして機能するようになっている。なお、装着手段であるケーブルＣａのコネクターＣが放射線画像撮影装置１のカセッテＩＤを読み取り、ケーブルＩＤとカセッテＩＤを含む装着通知を各コンソール５５に送信するように構成することも可能である。
【００２１】
また、図１に示すように、クレードル５３は中継器５４に接続されている。そして、クレードル５３は、図４に示すように、放射線画像撮影装置１が装着されると、放射線画像撮影装置１のコネクター３と、クレードル５３内に設けられたコネクター５３ａとが接続されるようになっている。
【００２２】
そして、放射線画像撮影装置１は、コネクター３とクレードル５３のコネクター５３ａとが接続されるとクレードル５３の識別情報（以下、クレードルＩＤという。）を読み取り、自らのカセッテＩＤとクレードルＩＤとを含む装着通知を、中継器５４や通信ネットワークＮを介して各コンソール５５に送信するようになっている。
【００２３】
すなわち、本実施形態では、クレードル５３も、放射線画像撮影装置１が装着される装着手段の１つとして機能するようになっている。なお、この場合も、装着手段であるクレードル５３が放射線画像撮影装置１のカセッテＩＤを読み取り、クレードルＩＤとカセッテＩＤを含む装着通知を各コンソール５５に送信するように構成することも可能である。
【００２４】
本実施形態では、各撮影室Ｒａにはそれぞれコンソール５５が対応付けられている。そして、コンソール５５は、図示しないＣＰＵ（Central Processing Unit）やＲＯＭ（Read Only Memory）、ＲＡＭ（Random Access Memory）、入出力インターフェース等がバスに接続されたコンピューターにより構成されている。専用装置として構成されていてもよい。
【００２５】
また、各コンソール５５は通信ネットワークＮを介して他のコンソール５５と接続されている。なお、図示を省略するが、コンソール５５は、表示部や入力手段、記憶手段等を備えている。また、通信ネットワークＮには、サーバーやイメージャー等の他の機器や、ＨＩＳ（Hospital Information System）やＲＩＳ（Radiology Information System）、ＰＡＣＳ（Picture Archiving and Communication System）等の外部システム等が接続されている。
【００２６】
次に、本実施形態に係る放射線画像撮影システム５０において、複数の撮影室Ｒａ間で放射線画像撮影装置１を持ち運んで使用する際に、前述したような従来のシステムで生じる可能性があった問題を生じることなく、放射線画像撮影装置１の各撮影室Ｒａのコンソール５５への登録や登録解除を的確に行うための構成について説明する。また、本実施形態に係る放射線画像撮影システム５０の作用についてもあわせて説明する。
【００２７】
本実施形態では、（１）一の撮影室Ｒａに対応付けられているコンソール５５は、放射線画像撮影装置１が、当該撮影室Ｒａに対応付けられた装着手段（クレードル５３や撮影台５１等のケーブルＣａ）に装着されると、放射線画像撮影装置１を登録可能か否かを判断する。そして、登録可能であると判断した場合に登録する。
【００２８】
そして、（２）この放射線画像撮影装置１が他の撮影室Ｒａのコンソール５５に登録されていた場合には、他の撮影室Ｒａのコンソール５５は、一の撮影室Ｒａに対応付けられているコンソール５５が当該放射線画像撮影装置１を登録した場合にのみ、放射線画像撮影装置１の登録を解除する。一の撮影室Ｒａに対応付けられているコンソール５５が当該放射線画像撮影装置１を登録しない場合（すなわち登録可能と判断しない場合）には、放射線画像撮影装置１の登録を解除しない。
【００２９】
また、（３）当該放射線画像撮影装置１が一の撮影室Ｒａに対応付けられているコンソール５５に登録されていた場合には、当該コンソール５５は、登録可能と判断しなかった場合には当該放射線画像撮影装置１の登録を解除しないように構成されている。
【００３０】
本実施形態では、各コンソール５５は、図５（Ａ）に例示するように、当該コンソール５５に対応付けられている撮影室Ｒａに対応付けられた装着手段（すなわちクレードル５３やケーブルＣａ）の識別情報（すなわちクレードルＩＤやケーブルＩＤ）のリストＬ１をそれぞれ有している。この場合、クレードル５３は撮影室Ｒａごとに設置されており、ケーブルＣａも基本的には複数の撮影室Ｒａで共通に用いられるケースはないため、リストＬ１の内容（クレードルＩＤやケーブルＩＤ等）は、コンソール５５ごとに異なるものになる。なお、撮影室Ｒａに新たな装着手段が導入された場合には、導入された装着手段の識別情報（クレードルＩＤやケーブルＩＤ）が当該撮影室Ｒａに対応付けられたコンソール５５のリストＬ１に追加される。
【００３１】
そして、本実施形態では、各コンソール５５は、上記のようにして、放射線画像撮影装置１や装着手段から、カセッテＩＤとクレードルＩＤとを含む装着通知やカセッテＩＤとケーブルＩＤとを含む装着通知が送信されてくると、クレードルＩＤ或いはケーブルＩＤがリストＬ１に属している場合には、当該放射線画像撮影装置１を登録可能であると判断する。また、各コンソール５５は、クレードルＩＤやケーブルＩＤがリストＬ１に属していない場合には、登録可能であるとは判断しないようになっている。
【００３２】
このように構成すれば、各コンソール５５は、リストＬ１に基づいて（すなわち装着手段の情報がリストＬ１に属しているか否かに基づいて）、放射線画像撮影装置１を登録可能であるか否かを容易かつ的確に判断することが可能となる。
【００３３】
また、各コンソール５５は、図５（Ｂ）に示すように、病院等の施設で（すなわちこの放射線画像撮影システム５０で）使用可能な放射線画像撮影装置１のリストＬ２（すなわち例えばライセンスを有している放射線画像撮影装置１のカセッテＩＤのリストＬ２）を有している。そして、このリストＬ２は、施設に新たに放射線画像撮影装置１が導入され例えばライセンス登録するごとに、その放射線画像撮影装置１のカセッテＩＤが追加されて更新される。なお、このリストＬ２は、各コンソール５５が同じリストＬ２を有している。また、リストＬ１、Ｌ２をまとめた１つのリストをコンソール５５ごとに有していてもよい。
【００３４】
そして、例えば、放射線画像撮影装置１が撮影室Ｒａ１から持ち出され、撮影室Ｒａ２に搬入されてクレードル５３に装着された場合（撮影台５１のケーブルＣａ等が装着された場合も同様。）について説明する。この場合、図６に示すように、前述したように、放射線画像撮影装置１或いはクレードル５３から各撮影室Ｒａ１〜Ｒａ３のコンソール５５にそれぞれ、カセッテＩＤとクレードルＩＤとを含む装着通知が送信される。
【００３５】
各撮影室Ｒａに対応付けられている各コンソール５５はそれぞれ、装着通知を受信すると、自らが有するリストＬ１（図５（Ａ）参照）を参照し、装着通知に含まれるクレードルＩＤがリストＬ１に属しているか否かを判定する。図６の場合、撮影室Ｒａ２に対応付けられているコンソール５５（以下、コンソール５５２という。）は、受信したクレードルＩＤがリストＬ１に属していると判定する。
【００３６】
また、撮影室Ｒａ１、Ｒａ３に対応付けられている各コンソール５５（以下、コンソール５５１、５５３という。）は、受信したクレードルＩＤがリストＬ１に属していないと判定する。
【００３７】
この場合、コンソール５５２は、上記（１）における「一の撮影室Ｒａに対応付けられているコンソール５５」であるから、放射線画像撮影装置１が撮影室Ｒａ２に対応付けられた装着手段であるクレードル５３に装着されると、図６に示すように、例えば前述したリストＬ２（図５（Ｂ）参照）を参照する等して、放射線画像撮影装置１を登録可能か否かを判断する。
【００３８】
そして、コンソール５５２は、放射線画像撮影装置１のカセッテＩＤがリストＬ２に属していれば、登録可能であると判断して登録する。その際、当該放射線画像撮影装置１のカセッテＩＤをリストＬ１に書き込んだり、或いは別のリストに書き込む等して登録処理を行う。なお、いずれの場合も、登録された放射線画像撮影装置１のカセッテＩＤを書き込むリストを、以下、登録リストという。
【００３９】
また、図５（Ｂ）に例示したリストＬ２は、前述したように病院等の施設で使用可能な放射線画像撮影装置１のリストであり、各コンソール５５が同じリストＬ２を有しているが、登録リストは、各撮影室Ｒａで登録された放射線画像撮影装置１のリストであり、その内容はコンソール５５ごとに異なる。あるコンソール５５の登録リストに登録されている放射線画像撮影装置１が、他のコンソール５５の登録リストに登録されていることはない。
【００４０】
上記の場合、コンソール５５２は、例えば当該放射線画像撮影装置１についてライセンス登録が行われていない等して、当該放射線画像撮影装置１のカセッテＩＤがリストＬ２に属していない場合には、当該放射線画像撮影装置１のカセッテＩＤを登録リストには書き込まない（すなわち登録しない）。そして、例えば表示部にエラー表示したり音声を発生させる等して放射線技師等のユーザーにその旨を通知するように構成される。
【００４１】
コンソール５５２は、このようにして当該放射線画像撮影装置１の登録を完了すると（或いは登録可能であると判定した時点で）、図６に示すように、他のコンソール５５１、５５３に、当該放射線画像撮影装置１のカセッテＩＤ等が付帯された登録通知を送信する。なお、コンソール５５２から登録した旨の通知（或いは登録する旨の通知）を受けた放射線画像撮影装置１が各コンソール５５１、５５２、５５３に登録通知を送信するように構成することも可能である。
【００４２】
上記の場合、撮影室Ｒａ３に対応付けられたコンソール５５３は、上記（１）や（３）における「一の撮影室Ｒａに対応付けられているコンソール５５」ではなく、上記（２）における「放射線画像撮影装置１が他の撮影室Ｒａのコンソール５５に登録されていた場合」の「他の撮影室Ｒａのコンソール」でもない。そのため、上記のように装着通知や登録通知を受信しても、それらに対して何らの処理も行わない。
【００４３】
一方、上記の場合、撮影室Ｒａ１に対応付けられたコンソール５５１は、上記（２）における「放射線画像撮影装置１が他の撮影室Ｒａのコンソール５５に登録されていた場合」の「他の撮影室Ｒａのコンソール」に該当する。そのため、上記のようにして撮影室Ｒａ２に対応付けられているコンソール５５２が当該放射線画像撮影装置１を登録した場合には、コンソール５５１は、当該放射線画像撮影装置１の登録を解除する。そのため、この場合は、コンソール５５１の登録リストから当該放射線画像撮影装置１のカセッテＩＤが削除される。
【００４４】
また、上記（２）において「コンソール５５（上記の場合はコンソール５５２）が当該放射線画像撮影装置１を登録した場合にのみ」と記載されているように、コンソール５５１は、上記のように放射線画像撮影装置１等から、撮影室Ｒａ２のクレードル５３のクレードルＩＤ等とともに装着通知が送信されてきても、撮影室Ｒａ２のコンソール５５２が当該放射線画像撮影装置１を登録しない限り（すなわち上記の場合は登録通知がない限り）、当該放射線画像撮影装置１の登録を解除しない。すなわち、コンソール５５１の登録リストから当該放射線画像撮影装置１のカセッテＩＤは削除されない。
【００４５】
そのため、例えば、放射線技師等が、上記のように放射線画像撮影装置１を撮影室Ｒａ１から撮影室Ｒａ２に持ち込んで、クレードル５３に装着する等して登録しようとしても、当該撮影室Ｒａ２に対応付けられたコンソール５５２が、ライセンス違反等で当該放射線画像撮影装置１を登録できなかったり登録を失敗する等して、当該放射線画像撮影装置１を登録しない場合には、元の撮影室Ｒａ１のコンソール５５１は、当該放射線画像撮影装置１の登録を解除せず、登録を維持する。
【００４６】
そのため、前述した従来の場合のように、当該放射線画像撮影装置１が、いずれの撮影室Ｒａ１、Ｒａ２、Ｒａ３でも登録されていない状態になり、いずれの撮影室Ｒａにも存在しない状態（すなわちいわば行方不明の状態）になってしまうことを的確に防止することが可能となる。
【００４７】
［変形例１］
なお、上記の場合において、撮影室Ｒａ２に搬入された放射線画像撮影装置１がクレードル５３等の装着手段に装着されてから（すなわち装着通知が送信されてから）、撮影室Ｒａ２に対応付けられているコンソール５５２が当該放射線画像撮影装置１を登録する（すなわち登録通知を送信する）までの間は、当該放射線画像撮影装置１は、まだ撮影室Ｒａ１に対応付けられているコンソール５５１に登録されている。
【００４８】
そのため、この状態では、例えば別の放射線技師等が、コンソール５５１上で当該放射線画像撮影装置１（ここでは放射線画像撮影装置１Ａという。）を指定して撮影を行おうとして、撮影室Ｒａ１で、別の放射線画像撮影装置１（ここでは放射線画像撮影装置１Ｂという。）を放射線画像撮影装置１Ａと勘違いして使用して撮影を行ってしまう可能性がある。
【００４９】
しかし、この場合、例えば、コンソール５５１が放射線画像撮影装置１Ａをスリープ状態から覚醒させようとして覚醒信号を送信しても、放射線画像撮影装置１Ａは撮影室Ｒａ２にあるため覚醒信号が届かず覚醒させることができない。また、コンソール５５１が送信した覚醒信号に放射線画像撮影装置１Ｂは応答しないため、放射線画像撮影装置１Ｂも覚醒せずにスリープ状態のままの状態になっている。そして、そのような状態の放射線画像撮影装置１Ｂを用いて撮影を行っても、放射線画像撮影装置１Ｂで読み出される画像データには被写体は写っていない。
【００５０】
また、仮に撮影室Ｒａ２に存在する放射線画像撮影装置１Ａに覚醒信号が届き、コンソール５５１からの撮影要求を受信できたとしても、撮影室Ｒａ１の放射線照射装置５２から照射された放射線は撮影室Ｒａ２の放射線画像撮影装置１Ａには届かない。そのため、この場合も、放射線画像撮影装置１Ａで読み出される画像データにも被写体は写っていない。このように、上記の場合には、いずれにせよ、撮影を適切に行うことができない。
【００５１】
そこで、このような事態が生じることを防止するため、例えば図７に示すように、放射線画像撮影装置１（上記の例では放射線画像撮影装置１Ａ）は、一の撮影室（すなわち持ち込まれた撮影室Ｒａ２）に対応付けられたクレードル５３等の装着手段に装着されてから（すなわち装着通知が送信されてから）、当該一の撮影室に対応付けられているコンソール５５（この場合はコンソール５５２）が当該放射線画像撮影装置１を登録するまでの間（すなわち登録通知が送信されるまでの間）、当該放射線画像撮影装置１を用いた撮影を禁止するように構成することが可能である。
【００５２】
この場合、放射線画像撮影装置１（上記の例では撮影室Ｒａ２に持ち込まれ登録処理中の放射線画像撮影装置１）は、たとえまだ登録が解除されていない撮影室Ｒａ１のコンソール５５１から撮影要求が送信されてきても（或いはその他のコンソール５５から何らかの原因で撮影要求が送信されてきても）、登録中であり撮影を行うことができない旨の信号（図７中の「拒否」参照）を返信して（すなわち拒否して）、撮影を禁止するように構成することが可能である。
【００５３】
このように構成すれば、例えば、放射線画像撮影装置１がこれまで登録されていた撮影室Ｒａ１から撮影室Ｒａ２に搬入され、クレードル５３等の装着手段に装着されて、コンソール５５２が登録処理を行っている最中に、まだ当該放射線画像撮影装置１の登録が解除されていない撮影室Ｒａ１のコンソール５５１等から撮影要求があった場合でも、登録中であり撮影を行うことができない旨の信号をコンソール５５１等に的確に送信して、撮影を禁止する（すなわちその撮影ができないようにする）ことが可能となる。そのため、前述したような問題が生じることを的確に防止することが可能となる。
【００５４】
［変形例２］
また、上記の［変形例１］とは別に、或いは［変形例１］とともに、一の撮影室（上記の例では撮影室Ｒａ２）に対応付けられたクレードル５３等の装着手段に装着されてから（すなわち装着通知が送信されてから）、当該一の撮影室に対応付けられているコンソール５５２が当該放射線画像撮影装置１を登録するまでの間（すなわち登録通知が送信されるまでの間）、当該放射線画像撮影装置１が登録されていた他のコンソール５５（この場合はコンソール５５１）は、撮影に用いる放射線画像撮影装置として当該放射線画像撮影装置１を選択できないように制御するように構成するが可能である。
【００５５】
［変形例３］
そして、図示を省略するが、上記の期間の間、コンソール５５１は、例えば放射線技師等がコンソール５５１上で、撮影に用いる放射線画像撮影装置として当該放射線画像撮影装置１を選択しようとした場合に、当該放射線画像撮影装置１は他の撮影室で登録中であり使用できないことを表示部に表示したり音声で伝える等して、当該放射線画像撮影装置１を撮影に用いることができないことを報知するように構成することも可能である。
【００５６】
或いは、コンソール５５１で当該放射線画像撮影装置１の登録がまだ解除されていない場合であっても、上記の期間の間、コンソール５５１は、例えば放射線技師等がコンソール５５１上で撮影に用いる放射線画像撮影装置を選択する際に表示する放射線画像撮影装置１の一覧表示において、当該放射線画像撮影装置１を表示しないように構成することも可能である。
【００５７】
以上の［変形例２］、［変形例３］のように構成すれば、例えば、放射線画像撮影装置１がこれまで登録されていた撮影室Ｒａ１から撮影室Ｒａ２に搬入され、クレードル５３等の装着手段に装着されて、コンソール５５２が登録処理を行っている間は、撮影室Ｒａ１のコンソール５５１では、当該放射線画像撮影装置１を用いた撮影を行うことができなくなる。そのため、前述したような問題が生じることを的確に防止することが可能となる。
【００５８】
［変形例４］
また、例えば、ある撮影室Ｒａ（以下、撮影室Ｒａ２とする。）に、上記のような装着手段としてのクレードル５３ではなく、充電用のクレードル５３Ａが持ち込まれ（或いは充電用のクレードル５３Ａが撮影室Ｒａ２内に配置されており）、撮影室Ｒａ２内で、放射線画像撮影装置１がクレードル５３Ａに装着されて充電が行われる場合がある。
【００５９】
この場合、本実施形態のように構成されていると、図６に示した場合と同様に、コンソール５５２には、充電用のクレードル５３Ａ或いはクレードル５３Ａに装着された放射線画像撮影装置１から、カセッテＩＤとクレードルＩＤとを含む装着通知が送信される。なお、他のコンソール５５１、５５３にも同様の装着通知が送信される。
【００６０】
そして、この場合、コンソール５５２が有するリストＬ１（図５（Ａ）参照）には当該充電用のクレードル５３ＡのクレードルＩＤは記入されていない。なお、このように、リストＬ１には、放射線画像撮影装置１の登録に用いられる装着手段の識別情報（ＩＤ）が記入されており、充電用のクレードル５３Ａのように放射線画像撮影装置１の登録に用いられない装置等の識別情報（ＩＤ）は記入されていない。
【００６１】
この場合、コンソール５５２は、受信したクレードルＩＤ（すなわち充電用のクレードル５３ＡのＩＤ）がリストＬ１に属していないと判定する。また、撮影室Ｒａ１、Ｒａ３に対応付けられている各コンソール５５１、５５３も、受信したクレードルＩＤはリストＬ１に属していないと判定する。
【００６２】
そして、前述したように、本実施形態では、各コンソール５５はクレードルＩＤやケーブルＩＤがリストＬ１に属していない場合には登録可能であるとは判断せず、登録可能であると判断しない場合には登録しないように構成されているため、この場合、コンソール５５２は（コンソール５５１、５５３も）、当該放射線画像撮影装置１を登録可能であるとは判断しない。
【００６３】
そして、上記（３）に示したように「当該放射線画像撮影装置１が一の撮影室Ｒａに対応付けられているコンソール５５に登録されていた場合には、当該コンソール５５は、登録可能と判断しなかった場合には当該放射線画像撮影装置１の登録を解除しないように構成されている」。そのため、当該放射線画像撮影装置１がすでにコンソール５５２に登録されていれば、コンソール５５２は当該放射線画像撮影装置１の登録を解除せず、登録を維持する。
【００６４】
このように、この［変形例４］の場合、例えば撮影室Ｒａ２内に充電用のクレードル５３Ａが持ち込まれ、放射線画像撮影装置１を充電用のクレードル５３Ａに装着し、仮に放射線画像撮影装置１やクレードル５３ＡからカセッテＩＤやクレードルＩＤを含む装着通知が送信されたとしても、コンソール５５２は、クレードル５３Ａが撮影室Ｒａ２に対応付けられていないことを理由に当該放射線画像撮影装置１の登録を解除してしまうことがなく、当該放射線画像撮影装置１の登録を的確に維持することが可能となる。
【００６５】
すなわち、本実施形態によれば、撮影室Ｒａ内で放射線画像撮影装置１が充電用のクレードル５３Ａに装着されて充電されても、それが原因で放射線画像撮影装置１のコンソール５５への登録が解除されるような事態は生じない。
【００６６】
なお、撮影室Ｒａ内に設置された登録用のクレードル５３（図１や図４参照）でも放射線画像撮影装置１の充電を行うことができるように構成されている場合、本実施形態では、充電を行うために放射線画像撮影装置１を登録用のクレードル５３に装着すると、図６に示した状態と同じ状態になる。
【００６７】
しかし、この場合も、放射線画像撮影装置１はすでに登録されていたコンソール５５に改めて登録されることになるだけであり、或いはコンソール５５は受信したカセッテＩＤがすでに登録リストに登録されているため登録を維持するだけであり、登録を解除することはないため、何らの問題も生じない。
【００６８】
以上のように、本実施形態に係る放射線画像撮影システム５０によれば、各撮影室Ｒａにそれぞれ対応付けられた各コンソール５５は、上記（１）〜（３）に従って動作するように構成されているため、複数の撮影室Ｒａ間で放射線画像撮影装置１を持ち運んで使用する際に、放射線画像撮影装置１の各撮影室Ｒａのコンソール５５への登録および登録解除を的確に行うことが可能となる。
【００６９】
そのため、例えば、放射線画像撮影装置１を持ち込んだ撮影室Ｒａでコンソール５５への登録が失敗したような場合には、放射線画像撮影装置１の元の（すなわち搬送前の）撮影室Ｒａのコンソール５５への登録は解除されないため、放射線画像撮影装置１がどの撮影室Ｒａにも存在しないことになって行方不明になってしまうことを的確に防止することが可能となる。
【００７０】
また、撮影室Ｒａに充電用のクレードル５３Ａが持ち込まれたり、撮影室Ｒａ内の充電用のクレードル５３Ａが用いられ、放射線画像撮影装置１がその充電用のクレードル５３Ａに装着された場合に、当該撮影室Ｒａに対応付けられたコンソール５５が当該放射線画像撮影装置１の登録を誤って解除してしまうことを的確に防止して、当該放射線画像撮影装置１の登録を的確に維持することが可能となる。
【００７１】
なお、上記の実施形態では、図１に示したように、撮影室Ｒａごとにコンソール５５が１つずつ設けられており、撮影室Ｒａとコンソール５５とが１：１に対応付けられている場合について説明したが、例えば図８に示すように、複数の撮影室Ｒａ（図８の場合は撮影室Ｒａ２、Ｒａ３）に１台のコンソール５５が対応付けられているような放射線画像撮影システム５０にも本発明を適用することが可能である。
【００７２】
また、例えば図９に示すように、複数の撮影室Ｒａと複数のコンソール５５とが通信ネットワークＮを介して接続されているような放射線画像撮影システム５０の場合、コンソール５５上で撮影室Ｒａが指定されることでコンソール５５と撮影室Ｒａとが１：１に対応付けられるように構成されている場合がある。そのため、そのように構成されている放射線画像撮影システム５０にも本発明を適用することが可能である。
【００７３】
なお、本発明が上記の実施形態等に限定されず、本発明の趣旨を逸脱しない限り、適宜変更可能であることは言うまでもない。
【符号の説明】
【００７４】
１  放射線画像撮影装置
５０  放射線画像撮影システム
５３  クレードル（装着手段）
５５、５５１〜５５３  コンソール
５５１  コンソール（他のコンソール）
５５２  コンソール（一のコンソール）
Ｃａ  ケーブル（装着手段）
Ｌ１  リスト
【図１】
0006736952.tif 000002
【図２】
0006736952.tif 000003
【図３】
0006736952.tif 000004
【図４】
0006736952.tif 000005
【図５】
0006736952.tif 000006
【図６】
0006736952.tif 000007
【図７】
0006736952.tif 000008
【図８】
0006736952.tif 000009
【図９】
0006736952.tif 000010